(57)【要約】      （修正有）【課題】所望サイズの方形付箋の生成が容易なロール状付箋を提供する。【解決手段】裏面全面に剥離自在かつ剥離後の貼着可能な接着層が備わるテープ状付箋紙３をロール状に巻回して構成したロール状付箋１において、テープ状付箋紙３に、長手方向Ｌの所定間隔Ｐ毎に幅方向Ｗにのびる切れ目５ａ〜５ｉ…を設ける。長方形および正方形を含む方形付箋のサイズは、切れ目５ａ〜５ｉ…の所定間隔の倍数で設定し、設定した倍数の切れ目に沿って、ハサミや指などでテープ状付箋紙３を切断することにより、所望サイズの方形付箋を生成することができる。【選択図】図１
0003209665.tif 000002
【実用新案登録請求の範囲】
【請求項１】
裏面全面に剥離自在かつ剥離後の貼着可能な接着層が備わるテープ状付箋紙をロール状に巻回して構成したロール状付箋において、前記テープ状付箋紙は、長手方向の所定間隔毎に幅方向にのびる切れ目が設けられていることを特徴とするロール状付箋。
【請求項２】
請求項１に記載したロール状付箋において、
前記ロール状付箋は、保持具により着脱可能かつ水平軸回りの回動自在に保持されていて、この保持具は、幅方向で互いに対向しかつ長手方向に同一平面上で平行してのびる一対の保持アームと、各保持アームの長手方向一端部に当該各保持アームに直交して水平に設けられて前記ロール状付箋を着脱可能かつ水平軸回りの回動自在に保持する保持機構と、各保持アームの長手方向他端部に当該各保持アームに直交して水平に設けられて前記ロール状付箋から前記各保持アームの他端部に向けて引き出したテープ状付箋紙の幅方向切断に用いるカッターと、を備えるロール状付箋、
【請求項３】
請求項１、請求項２のいずれか１項に記載したロール状付箋において、
前記切れ目は、プレス加工で打ち抜き成形されたミシン目からなるロール状付箋。
【考案の詳細な説明】
【技術分野】
【０００１】
本考案は、ロール状付箋に係り、さらに詳しくは、所望サイズの方形付箋の生成に好適なロール状付箋に関する。
【背景技術】
【０００２】
従来、所望サイズの方形メモ用紙の生成に好適なものとして、特許文献１に記載のロール状メモ用紙収納容器が提案されている。このロール状メモ用紙収納容器を図１０に示す。
【０００３】
図１０において、ロール状メモ用紙収納容器５０は、裏面全面に剥離自在かつ剥離後の貼着可能な接着剤からなる接着層５１が備わるテープ状用紙５２のロール状巻回体５３を収納し、収納容器５０の周壁５４に形成した引出口５５から引出したテープ状用紙５２を鋸歯状のカッター５６で幅方向に切断することにより、所望サイズの長方形および正方形を含む方形メモ用紙を生成する。
【０００４】
ところで、生成された方形メモ用紙において、互いに対向する一対の辺の長さ（第１サイズ）はテープ状用紙５２の幅方向の大きさに準じ、前記一対の辺に直交して互いに対向する他の一対の辺の長さ（第２サイズ）はテープ状用紙５２の長手方向の大きさに準じることを条件とすれば、所望サイズの方形メモ用紙を生成するには、第１サイズは不変であるから第２サイズを所要の大きさに設定しなければならない。
【０００５】
前記特許文献１に記載のロール状メモ用紙収納容器５０において、第２サイズは、カッター５６から突出する突出片の突出長さに準じて所要の大きさに設定できる。しかし、テープ状の用紙５２の表面は無地であるため、突出片を所要の突出長さでカッター５６から突出させるのが難しい。そのため、所望サイズの方形メモ用紙の生成が困難となる。
【０００６】
一方、ロール状巻回体５３を収納容器５０から取り出して単独使用し、テープ状の用紙５２をハサミなどで幅方向に直交切断して方形メモ用紙を生成することが想定できる。この場合、第２サイズは、テープ状用紙５２の長手方向の大きさに準じて所要の大きさに設定できる。しかし、テープ状の用紙５２の表面が無地であるため、テープ状用紙５２の長手方向の大きさを所要の大きさに設定するのが難しい。そのため、所望サイズの方形メモ用紙の生成が困難となる。しかも、ハサミなどによる幅方向の直交切断も難しいので、四つの内角のそれぞれが９０度に統一された方形メモ用紙の生成も困難でメモ用紙の見映えが悪くなる。
【先行技術文献】
【特許文献】
【０００７】
【特許文献１】実開平４−１０２２３４号公報
【考案の概要】
【考案が解決しようとする課題】
【０００８】
本考案は、上記の実情に鑑みてなされたもので、所望サイズの方形付箋の生成が容易なロール状付箋の提供を目的とするものである。
【課題を解決するための手段】
【０００９】
前記目的を達成するために、本考案に係るロール状付箋は、裏面全面に剥離自在かつ剥離後の貼着可能な接着層が備わるテープ状付箋紙をロール状に巻回して構成したロール状付箋において、前記テープ状付箋紙は、長手方向の所定間隔毎に幅方向にのびる切れ目が設けられていることを特徴とするものである。
【００１０】
前記構成のロール状付箋において、所望サイズの方形付箋の第１サイズはテープ状付箋紙の幅方向の大きさに準じ、第２サイズはテープ状付箋紙の長手方向の大きさに準じることを条件とすれば、長方形および正方形を含む方形付箋の第２サイズは、切れ目の所定間隔の倍数で設定できるので、設定した倍数の切れ目に沿って、ハサミや指などでテープ状付箋紙を切断することにより、所望サイズの方形付箋を容易に生成できる。しかも、前記設定した倍数の切れ目は、ハサミや指などによるテープ状付箋紙の切断を案内するので、四つの内角のそれぞれが９０度に統一された方形付箋が生成される。よって、方形付箋の見映えがよくなる。
【００１１】
本考案に係るロール状付箋は、保持具により着脱可能かつ水平軸回りの回動自在に保持されていて、この保持具は、幅方向で互いに対向しかつ長手方向に同一平面上で平行してのびる一対の保持アームと、各保持アームの長手方向一端部に当該各保持アームに直交して水平に設けられて前記ロール状付箋を着脱可能かつ水平軸回りの回動自在に保持する保持機構と、各保持アームの長手方向他端部に当該各保持アームに直交して水平に設けられて前記ロール状付箋から前記各保持アームの他端部に向けて引き出したテープ状付箋紙の幅方向切断に用いるカッターと、を備える。
【００１２】
前記構成によれば、保持具に保持されたロール状付箋からテープ状付箋紙を引き出すことが可能となる。そのため、長方形および正方形を含む方形付箋の第２サイズは、カッターから突出するテープ状付箋紙の突出片の突出長さで設定でき、突出片の突出長さは、所定間隔の倍数で設定した切れ目を前記カッターに位置合わせすることにより設定できる。よって、当該突出片の摘み操作による前記設定した切れ目の前記カッターへの切断力の付勢により、当該設定した切れ目に沿って前記突出片を切断すれば、所望サイズの方形付箋を容易に生成できる。しかも、突出片の切断には前記切断力が付勢されるので、カッターは鈍い切れ味でも良いことから、カッターの切れ味を高めなくてもよい。そのため、万一、指先などがカッターに接触しても接触した指先などの負傷は防止される。
なお、前記「第１サイズ」とは、生成された方形付箋の互いに対向する一対の辺の長さ（テープ状付箋紙の幅方向の大きさ）をいう。また、前記「第２サイズ」とは、前記一対の辺に直交して互いに対向する他の一対の辺の長さ（テープ状付箋紙の長手方向の大きさ）をいう。さらに、前記「方形付箋」は、長方形付箋および正方形付箋を含む。
【００１３】
本考案に係るロール状付箋の前記切れ目は、プレス加工で打ち抜き成形されたミシン目からなる。これによれば、テープ状付箋紙に、長手方向の所定間隔毎に幅方向に直交してのびる切れ目を正確に設けることが可能となり、所望サイズの方形付箋の生成に寄与することができる。
【考案の効果】
【００１４】
本考案のロール状付箋によれば、長方形および正方形を含む方形付箋の第２サイズは、切れ目の所定間隔の倍数で設定できるので、設定した倍数の切れ目に沿ってテープ状付箋紙を切断することにより、所望サイズの方形付箋を容易に生成できる。
【図面の簡単な説明】
【００１５】
【図１】本考案に係るロール状付箋の一実施形態を示す斜視図である。
【図２】図１の左側面図である。
【図３】方形付箋を例示する平面図であり、（ａ）は第１長方形付箋の平面図、（ｂ）は第２長方形付箋の平面図、（ｃ）は第３長方形付箋の平面図、（ｄ）は正方形付箋の平面図である。
【図４】本考案に係るロール状付箋の他の実施形態を示す斜視図である。
【図５】ロール状付箋を保持する保持具の左側面図である。
【図６】図５の平面図である。
【図７】図６のＶＩＩ−ＶＩＩ線に沿う断面図である。
【図８】図３の方形付箋と合同の突出片を例示する平面図であり、（ａ）は第１長方形突出片の平面図、（ｂ）は第２長方形突出片の平面図、（ｃ）は第３長方形突出片の平面図、（ｄ）は正方形突出片の平面図である。
【図９】突出片の切断手法を例示する斜視図である。
【図１０】従来例の概略斜視図である。
【考案を実施するための最良の形態】
【００１６】
以下、本考案に係るロール状付箋の好ましい実施例を図面に基づいて説明する。図１は本考案に係るロール状付箋の一実施形態を示す斜視図、図２は図１の左側面図、図３は方形付箋を例示する平面図であり、（ａ）は第１長方形付箋の平面図、（ｂ）は第２長方形付箋の平面図、（ｃ）は第３長方形付箋の平面図、（ｄ）は正方形付箋の平面図である。
【００１７】
図１および図２において、ロール状付箋１は、裏面全面に剥離自在かつ剥離後の貼着可能な接着剤（感圧接着剤）からなる接着層２が備わるテープ状付箋紙３を、樹脂製の円筒状芯材４の外周にロール状に巻回して構成される。テープ状付箋紙３には、長手方向Ｌの所定間隔（本実施形態では等間隔）Ｐ…毎に、幅方向Ｗに直交して全幅にのびる多数の切れ目５ａ〜５ｉ…が設けられている。
【００１８】
本実施形態のロール状付箋１は、幅Ｗ１が５０ｍｍで、全長が約１０．３ｍのテープ状付箋紙３を、樹脂製円筒状芯材４の外周に巻回して、外径Ｄが約４５ｍｍのロール状に構成されている。円筒状芯材４は、内径ｄ１が２５．７ｍｍ，外径ｄ２が３０．７ｍｍで、軸方向の長さがテープ状付箋紙３の幅Ｗ１に等しい５０ｍｍに設定してある。各切れ目５ａ〜５ｉ…は、プレス加工の打ち抜きで成形されたミシン目からなり、それらの間隔Ｐは１０ｍｍに設定されている。プレス加工の打ち抜きによれば、長手方向の所定間隔Ｐ毎に、幅方向に直交して全幅にのびる多数の切れ目５ａ〜５ｉ…を正確に成形することができる。よって、後述する所望するサイズの方形付箋の生成に寄与することが可能となる。
【００１９】
前記構成のロール状付箋１において、図３（ａ）に示す所望サイズ（幅Ｗ１が５０ｍｍ、長さＬ１が１０ｍｍ）の第１長方形付箋６ａの第２サイズ（１０ｍｍ）は、図１の切れ目５ａ〜５ｉ…の間隔Ｐの倍数（等倍）で設定できるので、設定した等倍数の切れ目５ａ〜５ｉ…に沿って、ハサミや指などでテープ状付箋紙３を切断することにより、図３（ａ）に示す所望サイズの第１長方方形付箋６ａを容易に生成することができる。しかも、設定した前記の切れ目５ａ〜５ｉ…は、ハサミや指などによるテープ状付箋紙３の切断を案内するので、四つの内角のそれぞれが９０度に統一された第１長方形付箋６ａが生成される。よって、その見映えがよくなる。
【００２０】
図３（ｂ）に示す所望サイズ（幅Ｗ１が５０ｍｍ、長さＬ１が２０ｍｍ）の第２長方形付箋６ｂの第２サイズ（２０ｍｍ）は、図１の切れ目５ａ〜５ｉ…の間隔Ｐの倍数（２倍）で設定できるので、設定した切れ目５ｂ，５ｄ，５ｆ，５ｈ…に沿って、ハサミや指などでテープ状付箋紙３を切断することにより、図３（ｂ）に示す所望サイズの第２長方方形付箋６ｂを容易に生成することができる。しかも、設定した前記の切れ目５ｂ，５ｄ，５ｆ，５ｈ…は、ハサミや指などによるテープ状付箋紙３の切断を案内するので、四つの内角のそれぞれが９０度に統一された第２長方形付箋６ｂが生成される。よって、その見映えがよくなる。
【００２１】
図３（ｃ）に示す所望サイズ（幅Ｗ１が５０ｍｍ、長さＬ１が３０ｍｍ）の第３長方形付箋６ｃの第２サイズ（３０ｍｍ）は、図１の切れ目５ａ〜５ｉ…の間隔Ｐの倍数（３倍）で設定できるので、設定した切れ目５ｃ，５ｆ，５ｉ…に沿って、ハサミや指などでテープ状付箋紙３を切断することにより、図３（ｃ）に示す所望サイズの第３長方方形付箋６ｂを容易に生成することができる。しかも、設定した前記の切れ目５ｃ，５ｆ，５ｉ…は、ハサミや指などによるテープ状付箋紙３の切断を案内するので、四つの内角のそれぞれが９０度に統一された第３長方形付箋６ｃが生成される。よって、その見映えがよくなる。
【００２２】
図３（ｄ）に示す所望サイズの正方形付箋６ｄ（幅Ｗ１と長さＬ１のそれぞれが５０ｍｍ）の正方形付箋６ｄの第２サイズ（５０ｍｍ）は、図１の切れ目５ａ〜５ｉ…の間隔Ｐの倍数（５倍）で設定できるので、設定した切れ目５ｅ…（ただし、切れ目５ｅ以降に、所定間隔Ｐの５倍毎に実質的に設けられる切れ目は図示していない）に沿って、ハサミや指などでテープ状付箋紙３を切断することにより、図３（ｄ）に示す所望サイズの正方形付箋６ｄを容易に生成することができる。しかも、設定した前記の切れ５ｅ…は、ハサミや指などによるテープ状付箋紙３の切断を案内するので、四つの内角のそれぞれが９０度に統一された正方形付箋６ｄが生成される。よって、その見映えがよくなる。
【００２３】
つぎに、本考案に係るロール状付箋１の他の実施形態について説明する。
図４は本考案に係るロール状付箋の他の実施形態を示す斜視図、図５はロール状付箋を保持する保持具の左側面図、図６は図５の平面図、図７は図６のＶＩＩ−ＶＩＩ線に沿う断面図、図８は図３の方形付箋と合同の突出片を例示する平面図であり、（ａ）は第１長方形突出片の平面図、（ｂ）は第２長方形突出片の平面図、（ｃ）は第３長方形突出片の平面図、（ｄ）は正方形突出片の平面図、図９は突出片の切断手法を例示する斜視図である。なお、図１，図２および図３（ａ）〜（ｄ）で説明した前記一実施形態と同一または相当部分には同一符号を付して、重複する説明は省略もしくは簡略にする。
【００２４】
図４〜図７に示すように、ロール状付箋１は、保持具７により着脱可能かつ水平軸回りの回動自在に保持される。保持具７は樹脂の成形体からなり、幅方向Ｗで互いに対向しかつ長手方向Ｌに同一平面上で平行してのびる一対の保持アーム７０，７０と、各保持アーム７０，７０の長手方向Ｌ一端部（本実施形態では、長手方向Ｌの右端部）に設けられて、ロール状付箋１を着脱可能かつ水平軸回りの回動自在に保持する保持機構７１（図６および図７参照）と、各保持アーム７０，７０の長手方向Ｌ他端部（本実施形態では、長手方向Ｌの左端部）上縁に、各保持アーム７０，７０に直交して水平に架設された樹脂製板状のカッター７２と、を備える。
【００２５】
保持機構７１は、各保持アーム７０，７０の長手方向Ｌ一端部内面に突設されて幅方向で互いに対向する一対の円形環状突部７１ａ，７１ａと、各円形環状突部７１ａ，７１ａに軸方向両端の開口部が軸まわりの回転自在に外嵌され、各円形環状突部７１ａ，７１ａを介して保持アーム７０，７０に水平支持される樹脂パイプ７１ｂと、からなり、カッター７２は、その長手方向Ｌの寸法ｌ（図７参照）が１８ｍｍに設定されており、長手方向Ｌ左端下部に幅方向Ｗ全域にのびるエッジ７２ａを備えている。図６、図７に示すように、カッター７２の右端斜め下側の位置で各保持アーム７０，７０に直交して樹脂製の案内板７３が水平に設けられる。
【００２６】
図６に示すように、各保持アーム７０，７０の互いの対向間隔Ｗ２は、テープ状付箋紙３の幅Ｗ１（５０ｍｍ）に律して５３ｍｍに設定され、各円形環状突部７１ａ，７１ａの突出量ｔは１．５ｍｍに設定されていて、各円形環状突部７１ａ，７１ａの外径ｄ３は２１ｍｍに設定されているとともに、樹脂パイプ７１ｂの内径ｄ４は、各円形環状突部７１ａ，７１ａの外径ｄ３（２１ｍｍ）に律して２２ｍｍに設定され、その外径ｄ５は、円筒状芯材４（図１，図２参照）の内径ｄ１（２５．７ｍｍ）に律して２４ｍｍに設定されている。
【００２７】
したがって、各保持アーム７０，７０の長手方向Ｌ一端部を幅方向Ｗに少し弾性拡開して樹脂パイプ７１ｂを一旦取り外し、この樹脂パイプ７１ｂを円筒状芯材４に挿通したのち、再度各保持アーム７０，７０の長手方向Ｌ一端部を幅方向Ｗに少し弾性拡開して、樹脂パイプ７１ｂの軸方向両端開口部を各円形環状突部７１ａ，７１ａにあてがって弾性拡開を解除することにより、各保持アーム７０，７０長手方向Ｌ一端部の弾性復帰に伴って、各円形環状突部７１ａ，７１ａが樹脂パイプ７１ｂの軸方向両端開口部に嵌入される。その結果、ロール状付箋１は保持具７により着脱可能かつ水平軸回りの回動自在に保持される。よって、図４に示すように、引き出し方向Ｆにテープ状付箋紙３を引き出し、案内板７３（図６、図７参照）を案内にして引き出し先端側からカッター７２を潜らせて、当該先端側をエッジ７２ａの下からさらに引き出し方向Ｆに突出させることで突出片８を形成できる。
【００２８】
前記構成によれば、長方形および正方形を含む方形付箋の第２サイズは、図４に示すカッター７２のエッジ７２ａから突出する突出片８の突出長さＬ１で設定でき、突出長さＬ１は、所定間隔Ｐの倍数（図４では３倍）で設定した切れ目５ｃをエッジ７２ａに位置合わせすることにより設定できる。
【００２９】
図３（ａ）に示す所望サイズ（幅Ｗ１が５０ｍｍ、長さＬ１が１０ｍｍ）の第１長方形付箋６ａを生成するに際し、第１長方形付箋６ａの第２サイズ（１０ｍｍ）は、図８（ａ）に示すように、カッター７２のエッジ７２ａから突出する突出片８ａの突出長さＬ１で設定でき、突出長さＬ１は，所定間隔Ｐの倍数（等倍）で設定した切れ目５ａをエッジ７２ａに位置合わせすることにより設定できる。よって、当該突出片８ａの一部を図９のように摘んで引きあげ、図８（ａ）に示す切れ目５ａを下側からエッジ７２ａに付勢し、切れ目５ａに沿って突出片８ａを切断することにより、図３（ａ）に示す所望サイズの第１長方形付箋６ａを容易に生成できる。第１長方形付箋６ａの生成後に、切れ目５ｂ〜５ｉ…を順次エッジ７２ａに位置合わせしながら、位置合わせした切れ目５ｂ〜５ｉ…に沿う切断を繰り返すことで、第１長方形付箋６ａと合同の複数の長方形付箋を生成できる。
【００３０】
図３（ｂ）に示す所望サイズ（幅Ｗ１が５０ｍｍ、長さＬ１が２０ｍｍ）の第２長方形付箋６ｂを生成するに際し、第２長方形付箋６ｂの第２サイズ（２０ｍｍ）は、図８（ｂ）に示すように、カッター７２のエッジ７２ａから突出する突出片８ｂの突出長さＬ１で設定でき、突出長さＬ１は，所定間隔Ｐの倍数（２倍）で設定した切れ目５ｂをエッジ７２ａに位置合わせすることにより設定できる。よって、当該突出片８ｂの一部を図９のように摘んで引きあげ、図８（ｂ）に示す切れ目５ｂを下側からエッジ７２ａに付勢し、切れ目５ｂに沿って突出片８ｂを切断することにより、図３（ｂ）に示す所望サイズの第２長方形付箋６ａを容易に生成できる。第２長方形付箋６ａの生成後に、切れ目５ｄ，５ｆ，５ｈ…を順次エッジ７２ａに位置合わせしながら、位置合わせした切れ目５ｄ，５ｆ，５ｈ…に沿う切断を繰り返すことで、第２長方形付箋６ｂと合同の複数の長方形付箋を生成できる。
【００３１】
図３（ｃ）に示す所望サイズ（幅Ｗ１が５０ｍｍ、長さＬ１が３０ｍｍ）の第３長方形付箋６ｃを生成するに際し、第３長方形付箋６ｂの第２サイズ（３０ｍｍ）は、図８（ｃ）に示すように、カッター７２のエッジ７２ａから突出する突出片８ｃの突出長さＬ１で設定でき、突出長さＬ１は，所定間隔Ｐの倍数（３倍）で設定した切れ目５ｃをエッジ７２ａに位置合わせすることにより設定できる。よって、当該突出片８ｃの一部を図９のように摘んで引きあげ、図８（ｃ）に示す切れ目５ｃを下側からエッジ７２ａに付勢し、切れ目５ｃに沿って突出片８ｃを切断することにより、図３（ｃ）に示す所望サイズの第３長方形付箋６ｃを容易に生成できる。第３長方形付箋６ｃの生成後に、切れ目５ｆ，５ｉ…を順次エッジ７２ａに位置合わせしながら、位置合わせした切れ目５ｆ，５ｉ…に沿う切断を繰り返すことで、第３長方形付箋６ｃと合同の複数の長方形付箋を生成できる。
【００３２】
図３（ｄ）に示す所望サイズ（幅Ｗ１と長さＬ１のそれぞれが５０ｍｍ）の正方形付箋６ｄを生成するに際し、正方形付箋６ｄの第２サイズ（５０ｍｍ）は、図８（ｄ）に示すように、カッター７２のエッジ７２ａから突出する突出片８ｄの突出長さＬ１で設定でき、突出長さＬ１は，所定間隔Ｐの倍数（５倍）で設定した切れ目５ｅをエッジ７２ａに位置合わせすることにより設定できる。よって、当該突出片８ｄの一部を図９のように摘んで引きあげ、図８（ｄ）に示す切れ目５ｅを下側からエッジ７２ａに付勢し、切れ目５ｅに沿って突出片８ｄを切断することにより、図３（ｄ）に示す所望サイズの正方形付箋６ｄを容易に生成できる。正方形付箋６ｄの生成後に、切れ目５ｊおよび切れ目５ｊに隣接して突出片８ｄの突出長さＬ１に相当する所定間隔Ｐの５倍毎に実質的に設けられる切れ目（図示省略）を順次エッジ７２ａに位置合わせしながら、当該位置合わせした切れ目に沿う切断を繰り返すことで、正方形付箋６ｄと合同の複数の長方形付箋を生成できる。
【００３３】
前記各突出片８ａ〜８ｄの切断には、各突出片８ａ〜８ｄの一部を図９のように摘んで引きあげる切断力が付勢されるので、エッジ７２ａをシャープに構成して切れ味を高めなくてもよく、鈍い切れ味でよい。そのため、万一、指先などがエッジ７２ａに接触しても接触した指先などの負傷は防止される。
【００３４】
本考案に係るロール状付箋１において、テープ状付箋紙３の幅Ｗと切れ目５ａ〜５ｊ…の長手方向方向の間隔Ｐは、前記実施形態で説明した５０ｍｍと１０ｍｍのみに限定されるものではなく任意であり、例えば、市販されている様々なサイズの方形付箋と同一サイズの様々な方形付箋の生成を可能とする大きさに設定することが可能である、
【００３５】
前記他の実施形態では、テープ状付箋紙３を切れ目５ａ〜５ｉ…のいずれかに沿ってカッター７２のエッジ７２ａで切断しているが、各切れ目５ａ〜５ｉ…の間で当該切れ目５ａ〜５ｉ…に平行する仮想切れ目（図示省略）のいずれかに沿ってエッジ７２ａで切断してもよい。
【００３６】
本考案に係るロール状付箋１は、その趣旨および技術思想を逸脱しない範囲であれば、構造変形が可能である。
【産業上の利用可能性】
【００３７】
本考案のロール状付箋は、段ボール紙製パッキングケースに貼り付けて上蓋の施蓋用紙や収納品の目録載用紙などに適用したり、或いは、ノートや書籍に貼り付けてメモ用紙として適用するのに有用である。
【符号の説明】
【００３８】
１  ロール状付箋
２  接着層
３  テープ状付箋紙
５ａ〜５ｊ  切れ目
６  方形付箋
７  保持具
７０  保持アーム
７１  保持機構
７２  カッター
７２ａ  エッジ
８  突出片
Ｌ  長手方向
Ｗ  幅方向
Ｐ  長手方向の間隔
【図１】
0003209665.tif 000003
【図２】
0003209665.tif 000004
【図３】
0003209665.tif 000005
【図４】
0003209665.tif 000006
【図５】
0003209665.tif 000007
【図６】
0003209665.tif 000008
【図７】
0003209665.tif 000009
【図８】
0003209665.tif 000010
【図９】
0003209665.tif 000011
【図１０】
0003209665.tif 000012